(57)【要約】【課題】作業灯を上方又は前方への突出量を抑えるように配置して、デバイダの視認性を向上したコンバインを提供する。【解決手段】前処理部５に複数の引起し装置１２，…及びデバイダを設け、該前処理部５に作業灯２３，２７を設ける。作業灯２３，２７は、複数の引起し装置１２，…のうちの左右方向において最も機体外側に配置された最左の引起し装置１２Ｌ及び最右の引起し装置１２Ｒ（最外引起し装置）の上方かつ左右方向における機体外側に配置される。また、作業灯２３，２７は、横伝動筒３１よりも左右方向における機体外側に配置される。【選択図】図４
2016086650.tif 000002
【特許請求の範囲】
【請求項１】
走行機体の前方に、複数の引起し装置及びデバイダを有する前処理部を昇降自在に支持し、前記走行機体に配置されたエンジンからの動力を、複数の前記引起し装置に伝達してなるコンバインにおいて、
前記デバイダの周辺を照射する作業灯を備え、
前記作業灯は、複数の前記引起し装置のうちの左右方向において最も機体外側に配置された最外引起し装置の上方かつ前記左右方向における機体外側に配置されてなる、
ことを特徴とするコンバイン。
【請求項２】
前記前処理部の前記左右方向における機体外側を覆うサイドカバーを備え、
前記サイドカバーは、前記作業灯の直下方に凹部が形成されてなる、
請求項１記載のコンバイン。
【請求項３】
前記エンジンからの動力が伝達される伝動軸を内蔵し、前記前処理部の上部に配置されると共に、前記左右方向に延びる横伝動筒を備え、
前記作業灯は、前記横伝動筒よりも前記左右方向における機体外側に配置されてなる、
請求項１又は２記載のコンバイン。
【請求項４】
前記エンジンからの動力が伝達される伝動軸を内蔵し、前記前処理部の上部に配置されると共に、前記左右方向に延びる横伝動筒と、
前記前処理部の前方を照射する前照灯と、を備え、
前記前照灯のソケットは、前記伝動軸の軸中心よりも下方に配置されると共に、前記最外引起し装置と前記作業灯との間に配置されてなる、
請求項１又は２記載のコンバイン。
【発明の詳細な説明】
【技術分野】
【０００１】
本発明は、走行しつつ穀稈を刈取・搬送するコンバインに係り、詳しくは、コンバインの前方等を照らす前照灯に関する。
【背景技術】
【０００２】
一般に、コンバインでは、日没や曇天によって外が暗い状況でも収穫作業が行えるように、前方を照射する前照灯や、デバイダ周辺を照射する作業灯を備えたものが知られている。従来、引起し装置よりも上方に前照灯及び作業灯を配置して、引起し装置の前方に補助引起し装置を取付けた場合であっても、前照灯及び作業灯の照射範囲を阻害しないコンバインが提案されている（特許文献１参照）。
【先行技術文献】
【特許文献】
【０００３】
【特許文献１】特開２００９−１３６１７８号公報
【発明の概要】
【発明が解決しようとする課題】
【０００４】
通常、作業者は、穀稈条列に沿って収穫作業を行うために、機体の最も外側に配置されたデバイダを視認しながら機体を前進させる。しかしながら、特許文献１記載のコンバインは、前照灯及び作業灯を引起し装置よりも上方に配置したために、前処理部の横伝動筒を覆う上部カバーから、これら前照灯及び作業灯が上方又は前方に大きく突出する構成となっていた。そのため、キャビン内で作業者が着座すると、大きく突出した前照灯及び作業灯が邪魔して、デバイダの視認性に問題があった。
【０００５】
そこで、本発明は、作業灯の上方又は前方への突出量を抑えるように配置して、もって上述した課題を解決したコンバインを提供することを目的とする。
【課題を解決するための手段】
【０００６】
本発明は、走行機体（３）の前方に、複数の引起し装置（１２，…）及びデバイダ（１１，…）を有する前処理部（５）を昇降自在に支持し、前記走行機体（３）に配置されたエンジンからの動力を、複数の前記引起し装置（１２，…）に伝達してなるコンバイン（１）において、
前記デバイダ（１１，１１）の周辺を照射する作業灯（２３，２７）を備え、
前記作業灯（２３，２７）は、複数の前記引起し装置（１２，…）のうちの前記左右方向において最も機体外側に配置された最外引起し装置（１２Ｌ，１２Ｒ）の上方かつ前記左右方向における機体外側に配置されてなる、
ことを特徴とする。
【０００７】
例えば図６及び図７を参照して、前記前処理部（５）の前記左右方向における機体外側を覆うサイドカバー（１７）を備え、
前記サイドカバー（１７）は、前記作業灯（２３）の直下方に凹部（１７ａ）が形成されてなる。
【０００８】
例えば図４を参照して、前記エンジンからの動力が伝達される伝動軸（３２）を内蔵し、前記前処理部（５）の上部に配置されると共に、前記左右方向に延びる横伝動筒（３１）を備え、
前記作業灯（２３，２７）は、前記横伝動筒（３１）よりも前記左右方向における機体外側に配置されてなる。
【０００９】
例えば図５を参照して、前記エンジンからの動力が伝達される伝動軸（３２）を内蔵し、前記前処理部（５）の上部に配置されると共に、前記左右方向に延びる横伝動筒（３１）と、
前記前処理部（５）の前方を照射する前照灯（２２，２６）と、を備え、
前記前照灯（２２，２６）のソケット（２２ｃ，２６ｃ）は、前記伝動軸（３２）の軸中心よりも下方に配置されると共に、前記最外引起し装置（１２Ｌ，１２Ｒ）と前記作業灯（２３，２７）との間に配置されてなる。
【００１０】
なお、上述カッコ内の符号は、図面と対照するためのものであるが、何ら本発明の構成を限定するものではない。
【発明の効果】
【００１１】
請求項１に係る本発明は、作業灯を最外引起し装置の上方かつ前記左右方向における機体外側に配置したので、比較的長い穀稈や補助引起し装置に作業灯の照射範囲を大きく遮られることがないものでありながら、作業灯を最外引起し装置よりも機体外側のスペースに上方及び前方への出っ張りを抑えて配置することができる。これにより、デバイダの視認性を向上することができる。
【００１２】
請求項２に係る本発明は、作業灯の直下方に凹部を有するサイドカバーを設けたので、デバイダ周辺を照らす作業灯の光が凹部に遮られることを防止して、デバイダの視認性を向上することができる。また、サイドカバーを取り外すことで、作業灯にアクセスすることが容易になって、メンテナンス性を向上することができる。
【００１３】
請求項３に係る本発明は、作業灯を横伝動筒よりも左右方向における機体外側に配置したので、作業灯を横伝動筒よりも機体外側のスペースに上方及び前方への出っ張りを抑えて配置して、デバイダの視認性を向上することができる。
【００１４】
請求項４に係る本発明は、前照灯が伝動軸を内蔵する引起し伝動筒を回避するように配置されて、前照灯及び作業灯による上方及び前方への出っ張りを抑えて配置することができる。これにより、デバイダの視認性を向上することができる。
【図面の簡単な説明】
【００１５】
【図１】本実施の形態に係るコンバインを示す全体側面図。
【図２】その正面図。
【図３】コンバインの前処理部を示す斜視図。
【図４】前処理部の伝動構成を示す透視図。
【図５】前照灯のソケットの配置を示す図であって、（ａ）は左側面図、（ｂ）は右側面図。
【図６】前照灯及び作業灯の照射方向を示す平面図。
【図７】その側面図。
【発明を実施するための形態】
【００１６】
以下、図面に沿って、本発明の実施の形態について説明する。本実施の形態のコンバイン１は、図１及び図２に示すように、左右一対のクローラ式走行装置である走行装置２に支持された走行機体３を有しており、該走行機体３の前方には、圃場の穀稈を刈取る前処理部５が昇降自在に設けられている。上記走行機体３の前方一側方には、作業者が運転操作を行うキャビン６が設けられており、他側方には、上記前処理部５で刈取り・搬送された穀稈を脱穀処理及び選別処理する脱穀装置７が設けられている。上記キャビン６の後方には、上記脱穀装置７で脱穀・選別された穀粒を貯蔵するグレンタンク９が配置されており、該グレンタンク９の後方には、該グレンタンク９内に貯蔵された穀粒を機外に排出するための排出オーガ１０が設けられている。上記キャビン６内の運転座席（不図示）の後下方には、不図示のエンジンが収容されている。
【００１７】
上記前処理部５は、前部に設けられ穀稈を分草する複数（本実施の形態では６個）のデバイダ１１，…と、該デバイダ１１の後方で分草された穀稈を引起こす複数（本実施の形態では５個）の引起し装置１２，…と、穀稈を刈取るレシプロ式の刈刃１３と、引起こされた穀稈の株元側を掻き込む株元掻込装置１５と、上記刈刃１３によって刈取られた穀稈を後方に搬送して上記脱穀装置７のフィードチェーン（不図示）に受け渡す搬送装置１６と、から構成されている。前処理部５の両側面には、それぞれ保守・整備のために簡単に着脱することを可能としたサイドカバー１７，１７が配設されており、これらサイドカバー１７，１７は、前処理部５の左右方向における機体外側を覆っている。
【００１８】
複数の上記引起し装置１２，…の上方には、図２及び図３に示すように、左右方向に延びる上部カバー１９が設けられており、該上部カバー１９とサイドカバー１７，１７との間には、左右のライトユニット２０，２１が設けられている。以下においては、左右方向について、機体前進方向に対して左側又は右側を、単に左側又は右側と呼称する。左側のライトユニット２０は、左右に一体的に並設される前照灯２２及び作業灯２３と、これら前照灯２２及び作業灯２３の前方側をまとめて曲面的に覆うレンズ２５と、を有している。また右側のライトユニット２１は、左右に一体的に並設される前照灯２６及び作業灯２７と、これら前照灯２６及び作業灯２７の前方側をまとめて曲面的に覆うレンズ２９と、を有している。
【００１９】
すなわち、左側の前照灯２２及び作業灯２３と、右側の前照灯２６及び作業灯２７は、全て複数の上記引起し装置１２，…よりも上方に配置されている。また、左右のライトユニット２０，２１は、略左右対称に設けられており、それぞれ機体の内側に前照灯２２，２６を配置し、機体の外側に作業灯２３，２７を配置している。また、上部カバー１９の後方には、防塵カバー２８（図２参照），３０が延出しており、これら防塵カバー２８，３０は、穀稈の搬送経路上方を覆って藁屑などの飛散を防止している。
【００２０】
上記上部カバー１９の後方には、図４に示すように、横伝動筒３１が左右方向に延びており、該横伝動筒３１には、横伝動軸３２（伝動軸、図５（ａ）参照）が内蔵されている。そして、上記前処理部５の左端には、縦伝動筒３３が立ち上がっており、該縦伝動筒３３に内蔵された不図示の縦伝動軸に伝達されるエンジンからの動力が、伝動ギアケース３５を介して、上記横伝動軸３２に分岐されている。上記伝動ギアケース３５の上面には、上記横伝動筒３１が連結される連結ケース３６が取付けられている。また、上記前処理部５の右端には、固定部材に固定された支持フレーム３７が上方に延びており、該支持フレーム３７は、上記横伝動筒３１の右端側を支持している。すなわち、横伝動筒３１は、左端側を連結ケース３６によって、右端側を支持フレーム３７によって、支持されている。
【００２１】
上記横伝動筒３１からは、５本の引起し伝動筒３９，…が下方に向かって分岐しており、これら引起し伝動筒３９，…に内蔵された引起し伝動軸（不図示）によって５つの引起し装置１２，…にそれぞれ動力を伝達している。各引起し伝動筒３９の下部には、スプロケット４０が設けられており、該スプロケット４０によって引起し装置１２の爪付きチェーン（不図示）に動力伝達される。また、各引起し装置１２には、スプロケット４０に対応する位置に補助引起し装置（不図示）の取付け部４１が形成されており、該補助引起し装置を装着することで、倒伏穀稈の刈取り性を向上することができる。
【００２２】
ここで、左側のライトユニット２０の前照灯２２及び作業灯２３と、右側のライトユニット２１の前照灯２６及び作業灯２７の配置について詳述する。まず、左側のライトユニット２０について説明する。なお、以下では、５つの引起し装置１２，…のうち、左右方向において最も機体外側に配置された引起し装置を最外引起し装置と称し、特に、図４ないし図６において、最も左側に配置された引起し装置を最左の引起し装置１２Ｌ、最も右側に配置された引起し装置を最右の引起し装置１２Ｒと称する。
【００２３】
左側のライトユニット２０は、図４に示すように、最左の引起し装置１２Ｌ（最外引起し装置）より上方に、かつ上記最左の引起し装置１２Ｌの左右方向における中央線Ｃ１（中央部）より機体外側に配置されている。そして、ライトユニット２０の前照灯２２は、最左の引起し装置１２Ｌと左右方向においてオーバーラップするように、かつ引起し伝動筒３９よりも左右方向における機体外側に配置されている。作業灯２３は、最左の引起し装置１２Ｌ及び横伝動筒３１の左右方向における機体外側に配置されている。また、作業灯２３は、前照灯２２よりも後方に配置されている（図６参照）。
【００２４】
また、前照灯２２の反射板２２ａの面積は、作業灯２３の反射板２３ａの面積より大きく設定されている。更に、図５（ａ）に示すように、前照灯２２のライト本体２２ｂが螺合するソケット２２ｃは、横伝動軸３２の軸中心よりも下方に、かつ最左の引起し装置１２Ｌよりも上方に配置されている。前照灯２２のソケット２２ｃは、側面視において、図５（ａ）に示すように、連結ケース３６及び伝動ギアケース３５に干渉しない位置に、かつ引起し伝動筒３９の側方に配置されている。
【００２５】
次に、右側のライトユニット２１について説明する。右側のライトユニット２１は、図４に示すように、最右の引起し装置１２Ｒ（最外引起し装置）より上方に、かつ上記最右の引起し装置１２Ｒの左右方向における中央線Ｃ２（中央部）より機体外側に配置されている。そして、ライトユニット２１の前照灯２６は、最右の引起し装置１２Ｒと左右方向においてオーバーラップするように、かつ引起し伝動筒３９よりも左右方向における機体外側に配置されている。作業灯２７は、最右の引起し装置１２Ｒ及び横伝動筒３１の左右方向における機体外側に配置されている。また、作業灯２７は、前照灯２６よりも後方に配置されている。
【００２６】
また、前照灯２６の反射板２６ａの面積は、作業灯２７の反射板２７ａの面積より大きく設定されている。更に、図５（ｂ）に示すように、前照灯２６のライト本体２６ｂが螺合するソケット２６ｃは、横伝動軸３２の軸中心よりも下方に、かつ最右の引起し装置１２Ｒよりも上方に配置されている。前照灯２６のソケット２６ｃは、側面視において、図５（ｂ）に示すように、支持フレーム３７に干渉しない位置に、かつ引起し伝動筒３９の側方に配置されている。
【００２７】
次いで、前照灯２２，２６及び作業灯２３，２７の照射方向について説明するが、左側のライトユニット２０と右側のライトユニット２１は略左右対称なので、左側のライトユニット２０の前照灯２２及び作業灯２３の照射方向についてのみ説明する。前照灯２２は、図６及び図７に示すように、上記前処理部５の前方やや下方へ向けて、矢印Ｆ方向に光を照射している。作業灯２３は、最も左側に配置された上記デバイダ１１の周辺に向けて、機体外方かつ前下方に、すなわち矢印Ｗ方向に光を照射している。上記前照灯２２のライト本体２２ｂ及び作業灯２３のライト本体２３ｂは、同方向に取付けられているため、前照灯２２の反射板２２ａ及び作業灯２３の反射板２３ａの向き及び形状によって照射方向、すなわち矢印Ｆ，Ｗ方向が規定されている。ライト本体２２ｂ、２３ｂが同方向で取付けられているため、着脱作業性を向上できる。
【００２８】
上記サイドカバー１７の、上記作業灯２３の直下方には、図７に示すように、略半月状の凹部１７ａが形成されている。凹部１７ａは、作業灯２３の矢印Ｗ方向への光の照射を妨げないように形成されており、最左のデバイダ１１の周辺を確実に照らすことができ、デバイダ１１の視認性を向上することができる。また、凹部１７ａには、ロックハンドル１７ｂが設けられており、該ロックハンドル１７ｂを操作することで、サイドカバー１７を容易に着脱することができる。なお、前処理部５の右側面のサイドカバー１７にも、同様にして凹部１７ａ及びロックハンドル１７ｂが設けられており、同様の効果を奏することはもちろんである。
【００２９】
本実施の形態は、以上のような構成からなるので、作業者は、キャビン６内の運転座席に着座してコンバイン１を操作し、穀稈の刈取・脱穀作業を行う。作業者は、作業中に日没が近づいてくると、左右のライトユニット２０，２１を点灯させる。
【００３０】
前照灯２２，２６を点灯することで、前処理部５の前方の視認性を向上することができる。そして、作業灯２３，２７を点灯することで、最左及び最右のデバイダ１１，１１の視認性を向上し、穀稈条列に合わせて刈取作業を効率よく行うことができる。このとき、サイドカバー１７に凹部１７ａが形成されているため、作業灯２３，２７によって直下方を照らすことができ、キャビン６に乗り込んだ作業者にとって視認性の良くない最左及び最右のデバイダ１１，１１を確実に照らすことができる。
【００３１】
また、左右のライトユニット２０，２１は、複数の引起し装置１２，…よりも上方に配置されているため、圃場から延びる比較的長い穀稈や、引起し装置１２の取付け部４１に取付けられる補助引起し装置によって光の照射が邪魔されることなく、デバイダ１１や前方の視認性を向上することができる。そして、サイドカバー１７のロックハンドル１７ｂを操作してサイドカバー１７，１７を取り外すと、最左の引起し装置１２Ｌ及び最右の引起し装置１２Ｒに干渉しない位置に左右のライトユニット２０，２１が配置されているため、ライト本体２２ｂ，２３ｂ，２６ｂ，２７ｂの交換等のメンテナンスを容易に行うことができる。
【００３２】
左右のライトユニット２０，２１を、最左及び最右の引起し装置１２Ｌ，１２Ｒの中央線Ｃ１，Ｃ２よりも機体外側に配置したので、より詳しくは、前照灯２２，２６をそれぞれ最左及び最右の引起し装置１２Ｌ，１２Ｒに左右方向においてオーバーラップして配置し、かつ作業灯２３，２７をそれぞれ最左及び最右の引起し装置１２Ｌ，１２Ｒ並びに横伝動筒３１よりも左右方向における機体外側に配置したので、機体幅を広げずコンパクトな構成でありながら、ライトユニット２０，２１の前方及び上方への出っ張りを減少することができる。これにより、キャビン６内で着座した作業者が、ライトユニット２０，２１に邪魔されずに最左及び最右のデバイダ１１，１１を視認することができ、デバイダの視認性を向上することができる。
【００３３】
更に、前照灯２２，２６のソケット２２ｃ、２６ｃは、横伝動筒３１の横伝動軸３２よりも下方に配置され、かつ引起し伝動筒３９を側方に回避しているため、これら横伝動筒３１や引起し伝動筒３９に近接しながらも干渉することなく、ライトユニット２０，２１の前方及び上方への出っ張りを減少することができる。より詳しくは、左側の前照灯２２のソケット２２ｃは、引起し伝動筒３９，連結ケース３６及び伝動ギアケース３５に囲まれた位置に配置され、右側の前照灯２６のソケット２６ｃは、横伝動筒３１及び支持フレーム３７を側方に回避して配置されている。また、作業灯２３，２７は、前照灯２２，２６よりも後方に配置されている。
【００３４】
このような構成が相俟って、前照灯２２，２６及び作業灯２３，２７を、引起し装置１２，…よりも上方に配置しながらも、より機体後方に、かつより機体下方に設けたため、ライトユニット２０，２１の前方及び上方への出っ張りを減少して、デバイダの視認性を向上することができる。
【００３５】
また、限られたスペースに前照灯２２，２６及び作業灯２３，２７を配置しながらも、前照灯２２，２６の反射板の面積を作業灯２３，２７の反射板の面積よりも大きく設定したため、照射範囲に合わせて良好に光の照射を行うことができる。
【００３６】
なお、前照灯及び作業灯を、共に最外引起し装置よりも左右方向における機体外側に配置してもよい。
【００３７】
また、前照灯や作業灯の反射板の面積とは、正面視における投影面積でも、表面積でもどちらでもよい。
【００３８】
また、本実施の形態では、サイドカバーの凹部の形状は、略半月状に形成されていたが、作業灯とデバイダとを結ぶ直線がサイドカバーによって遮られなければ、どのような形状で凹部が形成されてもよい。
【符号の説明】
【００３９】
１    コンバイン
３    走行機体
５    前処理部
１１    デバイダ
１２，…    複数の引起し装置
１２Ｌ    最外引起し装置（最左の引起し装置）
１２Ｒ    最外引起し装置（最右の引起し装置）
１７    サイドカバー
１７ａ    凹部
２２，２６    前照灯
２２ｃ，２６ｃ    ソケット
２３，２７    作業灯
３１    横伝動筒
３２    伝動軸（横伝動軸）
３９    引起し伝動筒
【図１】
2016086650.tif 000003
【図２】
2016086650.tif 000004
【図３】
2016086650.tif 000005
【図４】
2016086650.tif 000006
【図５】
2016086650.tif 000007
【図６】
2016086650.tif 000008
【図７】
2016086650.tif 000009